(57)【要約】【課題】  宝石類を微揺動させる宝石類付き装身具において、収容部内で自由に微揺動できること、宝石類のサイズやパピリオンのテーパ角度が異なる場合でも、共通の収容部を用いて同様の微揺動作用を可能にすること、係止保持を確実にして宝石類の紛失や損傷を防止すること、係止保持部材で宝石類の上面が遮られないこと、などを目的とする。【解決手段】  ファセットカットした宝石類４を遊嵌状態で収容する収容部５を装身具本体３に取付け、宝石類４にはガードル４ａの隣接位置に取付け孔９を設け、取付け孔９と収容部５の上部側との間を連結部材６によって、宝石類４を片持ち状態で揺動可能に連結すると共に、連結部側に位置する収容部５の内面からパピリオン４ｅのテーパ面に当接する坦持片７を突設した宝石類付き装身具１である。【選択図】        図２
2006192054.tif 000002
【特許請求の範囲】
【請求項１】
ファセットカットした宝石類を遊嵌状態で収容する収容部を装身具本体に取付け、宝石類にはガードルの隣接位置に取付け孔を設け、取付け孔と収容部の上部側との間を連結部材によって、宝石類を片持ち状態で揺動可能に連結すると共に、連結部側に位置する収容部の内面からパピリオンのテーパ面に当接する坦持片を突設したことを特徴とする宝石類付き装身具。
【請求項２】
前記連結部材は、宝石類の取付け孔に連結する固定環状部と、固定環状部に連結する可動環状部と、可動環状部に挿通する態様で当該第２の環状部を係止保持すると共に、基部側を収容部に連結した連結軸部とで構成する請求項１に記載した宝石類付き装身具。
【請求項３】
前記宝石類付き装身具において、連結部側の収容部の上部側から連結部材の上方へ垂直振れ止め片を突設する請求項１又は２に記載した宝石類付き装身具。
【請求項４】
前記宝石類付き装身具において、連結部側の収容部の内面から連結部材の両側へ水平振れ止め片を突設する請求項１〜３のいずれかに記載した宝石類付き装身具。
【発明の詳細な説明】
【技術分野】
【０００１】
本発明は、ダイヤモンドその他の宝石類を装着した装身具であって、特に指輪やブレスレットなどのように、宝石類のテーブルを略水平状態で使用する装身具に対して、振動を与えると収容部内に装着した宝石類が微揺動できるようにし、乱反射によって装飾効果を高めることを可能にした宝石類付き装身具に関する。
【背景技術】
【０００２】
この種の宝石類付き装身具としては、例えば特許文献１〜３などに開示された先行技術が提案されている。
【特許文献１】特許第３３９０１６８号公報
【特許文献２】実用新案登録３０７６４７５号公報
【特許文献３】実用新案登録３０９４２８８号公報
【０００３】
これらの先行技術では、指輪本体に取り付けた収容部内に宝石類としてファセットカットしたダイヤモンドなどの宝石類が遊嵌状態で装着され、収容部の底面に設けた嵌合溝内にキューレット（パビリオン部の尖端）を点接触状態で載置すると共に、収容部の上方にはテーブル又はクラウンに対する係止保持部材を設けている。
【０００４】
これにより、指輪本体に振動を与えると収容部内に装着したダイヤモンドなどの宝石類をキューレットを支点として微揺動させることができると共に、ダイヤモンドなどの宝石類が過大に揺動した際にはテーブル又はクラウンが係止保持部材に当接し、ダイヤモンドなどの宝石類が脱落しないように抜け止めが行われる。
【発明の開示】
【発明が解決しようとする課題】
【０００５】
これらの先行技術の場合には、ダイヤモンドの下方では収容部の底面に設けた嵌合溝の内壁面によって、キューレットに隣接したパピリオンのテーパ面が拘束を受けると共に、ダイヤモンドの上方では係止保持部材によって、テーブル又はクラウンが拘束を受けるので、収容部内におけるダイヤモンドの自由な微揺動が損なわれる恐れがあった。
【０００６】
しかも、ダイヤモンドのサイズが異なる場合や、パピリオンのテーパ面の傾斜角度が異なる場合には、共通の収容部を用いて同様の微揺動作用を行うことができなくなるので、サイズやテーパ面の傾斜角度に適合する収容部を個別に用いる必要があり、製造コストを高騰させる恐れがある。
【０００７】
また、収容部内のダイヤモンドは脱落しないように係止保持部材によって、外周囲を抜け止めされているので、脱落によって貴重なダイヤモンドを紛失したり、落下して損傷させないためには、ダイヤモンドの上方に対してできるだけ多くの個所で係止保持することが望ましいが、これらの係止保持部材によってダイヤモンドの上面が遮られることになるのて、その分だけダイヤモンドの輝きが損なわれる。
【０００８】
そこで本発明は、これら従来技術の課題を解決し得る宝石類付き装身具を提供するものであって、特に収容部内でダイヤモンドが自由に微揺動できるようにすること、ダイヤモンドのサイズやパピリオンのテーパ面の傾斜角度が異なる場合でも、共通の収容部を用いて同様の微揺動作用を行うことを可能にすること、係止保持を確実にしてダイヤモンドの紛失や損傷を防止すると共に、できるだけ係止保持部材でダイヤモンドの上面が遮られないようにすること、などを主たる目的とするものである。
【課題を解決するための手段】
【０００９】
本発明の宝石類付き装身具は、ファセットカットした宝石類を遊嵌状態で収容する収容部を装身具本体に取付け、宝石類にはガードルの隣接位置に取付け孔を設け、取付け孔と収容部の上部側との間を連結部材によって、宝石類を片持ち状態で揺動可能に連結すると共に、連結部側に位置する収容部の内面からパピリオンのテーパ面に当接する坦持片を突設している。（請求項１）
【００１０】
請求項１における連結部材は、宝石類の取付け孔に連結する固定環状部と、固定環状部に連結する可動環状部と、可動環状部に挿通する態様で当該第２の環状部を係止保持すると共に、基部側を収容部に連結した連結軸部とで構成する形態を採ることができる。（請求項２）
【００１１】
請求項１又は２の宝石類付き装身具において、連結部側の収容部の上部側から連結部材の上方へ垂直振れ止め片を突設する形態を採ることができる。（請求項３）
【００１２】
請求項１〜３の宝石類付き装身具において、連結部側の収容部の内面から連結部材の両側へ水平振れ止め片を突設する形態を採ることができる。（請求項４）
【発明の効果】
【００１３】
請求項１の宝石類付き装身具では、収容部内に遊嵌状態で装着した宝石類を片持ち状態で揺動可能にしたことによって、収容部内における宝石類は自由な微揺動を行うことができるので、乱反射による装飾効果を一段と高めることが可能である。
【００１４】
また、宝石類のサイズやパピリオンのテーパ面の傾斜角度が異なる場合でも、共通の収容部を用いて同様の微揺動作用を行うことができるので、材料の調達を容易にし且つ製造コストを低減させることができる。
【００１５】
また、収容部内の宝石類は連結部材によって収容部に連結されているので、脱落によって貴重なダイヤモンドを紛失したり、落下して損傷することがなく、連結部材によって宝石類のテーブルやクラウンの上面が遮られることがないので、宝石類の輝きが損なわれることがない。
【００１６】
さらに、この種のダイヤモンドその他の宝石類を装着した装身具には、例えばネックレスやイヤリングのように、装身具を吊り下げて宝石類を垂直状態で使用するものがあり、吊り下げるために宝石類の外形縁部の隣接位置に取付け孔を設けるので、本発明が実施対象とする指輪やブレスレットなどの装身具に対し、これらの宝石類を流用することが可能であるから、宝石類の調達が容易で且つ製造コストの低減にも寄与できる。
【００１７】
請求項２の宝石類付き装身具では、固定環状部と可動環状部及び連結軸部による簡単で安価な連結部材によって、収容部に対して宝石類を片持ち状態で揺動可能に連結することができる。
【００１８】
請求項３の宝石類付き装身具では、垂直振れ止め片によって宝石類の過大な垂直方向の揺動を規制できると共に、連結部材の上方を被覆して体裁を良くすることができる。
【００１９】
請求項４の宝石類付き装身具では、水平振れ止め片によって宝石類の過大な水平方向の揺動を規制できる。
【実施例】
【００２０】
本発明の宝石類付き装身具について、本発明を適用した図示の実施例に基づき詳細に説明するが、実施例の装身具は指輪で宝石類にはファセットカットしたダイヤモンドを使用しており、図１は指輪の宝石装着部を平面図で示し、図２は宝石装着部の内部構造を平面図で示し、図３は宝石装着部を斜視図で示し、図４は宝石装着部を縦断面図で示し、図５は図４の要部を部分拡大縦断面図で示し、図６はダイヤモンドの側面図を示す。
【００２１】
指輪１は、リング状に形成した指輪本体２と、指輪本体２の中央上部に設けた宝石装着部３とで構成されており、宝石装着部３にはダイヤモンド４を遊嵌状態で収容する収容部５を備え、収容部５の一側には連結部材６を設けてダイヤモンド４を片持ち状態で揺動可能に収容部５に連結すると共に、収容部５の内面側から突設させた坦持片７をダイヤモンド４に当接させ、ダイヤモンド４が水平状態になるように姿勢を矯正している。
【００２２】
ダイヤモンド４は、最大外径をなすガードル４ａを境界にして、上部側は平坦状のテーブル４ｂを頂面としたクラウン４ｃによって円錐台形状に形成されると共に、下部側は尖端のキューレット４ｄを頂点としたパビリオン４ｅによって円錐形状に形成されているが、外径縁部であるガードル４ａの隣接位置には、クラウン４ｃとパビリオン４ｅとを上下に貫通する取付け孔９が穿設されている。
【００２３】
図示の実施例では、外形をハート形に形成した収容部５の窪み部分８とダイヤモンド４の取付け孔９との間を連結部材６で連結するようにしており、連結部材６は取付け孔９に嵌め合わせてダイヤモンド４に繋着する固定環状部１０と、固定環状部１０に嵌め合わせて繋着する可動環状部１１と、可動環状部１１と収容部５との間を可動可能に連結する支持軸部１２とで構成している。
【００２４】
連結部材６は、固定環状部１０を取付け孔９に繋着してダイヤモンド４が脱落しないようにし、可動環状部１１は固定環状部１０に繋着してダイヤモンド４が自由に揺動できるようにし、支持軸部１２は垂直片１２ｂを可動環状部１１に挿通させて下端側を嵌合穴１３に挿入して収容部５に固着し、水平片１２ａで抜け止めをした状態で可動環状部１１を係止保持している。
【００２５】
坦持片７は、連結部材６で片持ち状態に支持したダイヤモンド４に対し、先端をパビリオン４ｅに当接させて連結部材６とは反対側に押し上げて、キューレット４ｄを収容部５の内底面から浮かせ、テーブル４ｂが水平状態になるように姿勢を制御するようにしており、パビリオン４ｅとの当接位置はガードル４ａとキューレット４ｄの中間で、より揺動し易い位置を選択して設定し、設定した当接位置でテーブル４ｂが水平状態になるように坦持片７の高さを設定する。
【００２６】
これにより、固定環状部１０と支持軸部１２との間に装着された可動環状部１１は、外部から振動を加えた際に自由に揺動することができるので、収容部５内で坦持片７に支持されたダイヤモンド４は固定環状部１０を介して、可動環状部１１の揺動に連動した状態で揺動され、テーブル４ｂ及びクラウン４ｃにおけるカット面の乱反射によって輝きを増し、静止状態のダイヤモンド４に比べて装飾効果を高めることができる。
【００２７】
特に、特許文献１〜３などによる従来技術のように、抜け止めのためにダイヤモンドのテーブルやクラウン４ｃを多数個所で係止保持する場合とは異なり、連結部材６を介して片持ち状態でダイヤモンド４を収容部５に繋着しているので、揺動範囲を大きくして装飾効果を一多段と高めることができると共に、ダイヤモンド４を脱落させて紛失したり損傷させる恐れもない。
【００２８】
また、揺動時における過大な垂直方向の動きを規制するために、ダイヤモンド４のテーブル４ｂと固定環状部１０の双方又は固定環状部１０の上方に、当該テーブル４ｂと固定環状部１０と離間した状態で収容部５の開口縁部から水平方向に垂直振れ止め片１４を突設させ、過大な垂直揺動に対して係止するようにしている。
【００２９】
この垂直振れ止め片１４は、溶接などによって基部側を収容部５に固着して連結部材６の上方に被着させることによって、支持軸部１２に対する抜け止め係止部材としても機能すると共に、連結部材６を隠して体裁を良くする機能も兼ね備えることができるが、特許文献１〜３などによる従来技術のように多数個所で係止保持する場合とは異なり、テーブル４ｂやクラウン４ｃが殆ど遮へいされないので、装飾効果を高めることができる。
【００３０】
また、揺動時における過大な水平方向の動きを規制するために、連結部材６の両側には収容部５の内面側から一対の水平振れ止め片１５，１５を突設させ、当該水平振れ止め片１５，１５の先端側を固定環状部１０から離間させた状態で配置し、固定環状部１０を係止することによってダイヤモンド４の過大な振れ止めを防止している。
【００３１】
さらに、ダイヤモンド４のサイズやパピリオン４ｅのテーパ面の傾斜角度が異なる場合には、図５の実線と仮想線で示すように支持軸部１２の垂直片１２ｂを左右に撓ませると、可動環状部１１及び固定環状部１０を介してダイヤモンド４の水平位置を移動させることができる。
【００３２】
これによって、坦持片７に当接するパピリオン４ｅの位置を変え、テーブル４ｂが水平状態になるようにダイヤモンド４の姿勢矯正することができるので、共通の収容部５及び連結部材６を用いて同様の微揺動作用を行うことが可能であるから、部品の共用化によって納期の短縮やコストの低減を図ることができる。
【００３３】
また、図示の実施例ではイヤリングなどのように吊下げ形の装身具に使用しているものを流用し、固定環状部１０を連結するダイヤモンド４には予めの取付け孔９として利用できる貫通孔が穿設されているので、ダイヤモンド４の調達が容易で且つ安価に提供することができる。
【００３４】
なお、本発明は上記した実施例に限定されるものではなく、要旨の範囲内において各種の変形を採り得るものであり、例えば収容部５に遊嵌したダイヤモンド４に対して、当該ダイヤモンド４を片持ち状態で揺動可能に収容部５と連結する構造ならば、図示の実施例による連結部材６以外の構造を採ることもできる。
【００３５】
また、連結部材を介してダイヤモンド４を収容部５に繋着することによって、ダイヤモンド４が収容部５から脱落して落下する恐れがないようにしているので、見栄え上や強度上で許容できる揺動範囲ならば、垂直振れ止め片１４や水平振れ止め片１５を省略する形態を採ることも可能である。
【００３６】
また、取付け孔９は必ずしも貫通孔である必要はなく、固定環状部１０によって係止保持することができれば良いので、例えば係止保持力に不足がなければ取付け孔として上下から有底穴を穿設し、この有底穴を介してＣ字状やＤ字状の割りリングを固定環状部１０を用いて、ダイヤモンド４を上下から狭持する形態を採ることもできる。
た形態を採ることもでき、
【００３７】
さらに、支持軸部１２は可動環状部１１の固定環状部１０とは反対側を、可動環状部１１が揺動可能な状態で収容部５に係止保持できる構造ならば良いので、必ずしも図示の実施例のように水平片１２ａと垂直片１２ｂでＬ字状に形成する必要はなく、例えば垂直片１２ｂのみによる直状のものにして、上端側は垂直振れ止め片１４などで押さえて抜け止めしたり、収容部５から水平に突設した支持軸部の先端にフックを設け、このフックを可動環状部１１に係止する形態を採ることもできる。
【図面の簡単な説明】
【００３８】
【図１】本発明の宝石類付き装身具をダイヤモンド付き指輪に適用した実施例図であって、指輪の宝石装着部を平面図で示す。
【図２】図１における宝石装着部の内部構造を平面図で示す。
【図３】図１における宝石装着部を斜視図で示す。
【図４】図１における宝石装着部を縦断面図で示す。
【図５】図４の要部を部分拡大縦断面図で示す。
【図６】図１の宝石装着部に収容するダイヤモンドを側面図で示す。
【符号の説明】
【００３９】
１  指輪（装身具）
２  指輪本体（装身具本体）
３  宝石装着部
４  ダイヤモンド（宝石類）
５  収容部
６  連結部材
７  坦持片
８  窪み部分（ハート形の）
９  取付け孔
１０  固定環状部
１１  可動環状部
１２  支持軸部
１３  嵌合穴
１４  垂直振れ止め片
１５  水平振れ止め片
【図１】
2006192054.tif 000003
【図２】
2006192054.tif 000004
【図３】
2006192054.tif 000005
【図４】
2006192054.tif 000006
【図５】
2006192054.tif 000007
【図６】
2006192054.tif 000008